(57)【特許請求の範囲】
【請求項１】
天然のジオクタヘドラル型スメクタイト系粘土粉体または該粘土をアルカリ処理してなる粘土粉体であって、下記式で示される含塩素無機塩を所定量だけ含有し、
ヒドロキシカルボン酸またはその塩をさらに所定量だけ含有することを特徴とするベントナイト粉体。
Ｍp+（ＣｌＯq-）p        ・・・（式）
（式中、Ｍは、Ｎａ，Ｋ，Ｍｇ，Ｃａ，Ｂａ，Ａｌの群から選ばれた金属原子であり、ｐは、金属原子Ｍの価数で１乃至３の自然数であり、ｑは、塩化物イオンまたは塩素酸イオンのイオン式を構成する酸素原子Ｏの数で０または１乃至４の自然数である。）
【請求項２】
水分含有量が乾燥後基準で５重量％以下であることを特徴とする請求項１に記載のベントナイト粉体。
【請求項３】
前記含塩素無機塩の含有量が、粘土分１００重量部（乾燥物換算）に対して０．０２乃至２重量部であることを特徴とする請求項１に記載のベントナイト粉体。
【請求項４】
前記ヒドロキシカルボン酸またはその塩の含有量が粘土分１００重量部（乾燥物換算）に対して０．２乃至２重量部であることを特徴とする請求項１に記載のベントナイト粉体。
【請求項５】
前記含塩素無機塩が塩化アルミニウム又は塩化ナトリウムであることを特徴とする請求項１に記載のベントナイト粉体。
【請求項６】
前記ヒドロキシカルボン酸またはその塩が酒石酸、クエン酸、リンゴ酸、またはそれらの塩の群から選ばれた何れかを含む１つ以上であることを特徴とする請求項１に記載のベントナイト粉体。
【請求項７】
原料となるジオクタヘドラル型スメクタイト系粘土にアルカリ性化合物を添加して混練することにより、前記粘土の基本構造層間にアルカリイオンを取り込ませる第１のステップと、
前記第１のステップを経た前記粘土中に下記式で示される含塩素無機塩を所定量だけ添加して混練することにより、前記粘土中に含塩素無機塩を均一に分散させる第２のステップと、
前記第２のステップを経た前記粘土を乾燥したのち、粉砕、分級することで前記粘土の微粉体を生成する第３のステップとを有し、
前記第２のステップが、ヒドロキシカルボン酸またはその塩を所定量だけ含有するステップをさらに有することを特徴とするベントナイト粉体の製造方法。
Ｍｐ＋（ＣｌＯｑ−）ｐ        ・・・（式）
（式中、Ｍは、Ｎａ，Ｋ，Ｍｇ，Ｃａ，Ｂａ，Ａｌの群から選ばれた金属原子であり、ｐは、金属原子Ｍの価数で１乃至３の自然数であり、ｑは、塩化物イオンまたは塩素酸イオンのイオン式を構成する酸素原子Ｏの数で０または１乃至４の自然数である。）
【請求項８】
前記第３のステップにおいて、乾燥終了時における前記微粉体の水分含有量が５重量％以下であることを特徴とする請求項７に記載のベントナイト粉体の製造方法。
【請求項９】
前記第２のステップにおいて、前記含塩素無機塩の添加量が粘土分１００重量部（乾燥物換算）に対して０．０２乃至２重量部とされることを特徴とする請求項７に記載のベントナイト粉体の製造方法。
【請求項１０】
体積平均粒子径ｄ（５０）が３乃至２０μｍであることを特徴とする請求項１に記載のベントナイト粉体。
【請求項１１】
鉄分が酸化物換算で０．５重量部乃至５重量部だけ含まれていることを特徴とする請求項１に記載のベントナイト粉体。
【請求項１２】
その用途が、製紙用添料、または布製品用柔軟化剤であることを特徴とする請求項１に記載のベントナイト粉体。
【発明の詳細な説明】
【技術分野】
【０００１】
本発明は、天然のジオクタヘドラル型スメクタイト系粘土、または該粘土をアルカリ処理してなる活性ベントナイトを粉状化してなるベントナイト粉体及びその製造方法に関するものである。
【背景技術】
【０００２】
天然のジオクタヘドラル型スメクタイト系粘土、または該粘土をアルカリ処理してなる活性ベントナイトを粉状化してなるベントナイト粉体は、従来より知られている。この種のベントナイト粉体は、水膨潤性、固化性等々の様々な有用な性質を有することに加えて、混入相手方の製品の白色性を損なわない程度の白色度を有しているため、洗濯用柔軟剤や製紙用添料等の白色性を重視する用途において、昨今、脚光を浴びている。
【０００３】
この種のベントナイトの性質を対応製品に合わせて改質せんとする試みは従来から存在する（例えば、特許文献１参照）。
【先行技術文献】
【特許文献】
【０００４】
【特許文献１】特開２００８−２９０９２３号公報
【発明の概要】
【発明が解決しようとする課題】
【０００５】
しかしながら、このような従来のベントナイト粉体は、粉状化のための粉砕処理の直後においては、消費者の好む青白い白色性を呈するものの、時間の経過と共に黄変が進行することが知見された。
【０００６】
このようなベントナイト粉体の経時による色調変化が図７に示されている。なお、同図の例において用いられベントナイト粉体は、後述の比較例１により得られた従来のベントナイト粉体である。
【０００７】
図７において、色調の評価は色調の評価に用いられる基準の一つであるＬａｂカラーモデルに基づいて行っている。Ｌａｂカラーモデルは、以下の３つの値にて評価される。
Ｌ値：明るさを表す値、０（黒）〜１００（白）の範囲で推移
ａ値：色成分を表す値、−１２８（緑）〜＋１２７（赤）の範囲で推移
ｂ値：色成分を表す値、−１２８（青）〜＋１２７（黄）の範囲で推移
【０００８】
図７によれば、保存開始時点では４．３であったｂ値が、１月後には６．５、２月後には７．９と時間の経過に伴って増加していることがわかる。このように、ｂ値が増加することにより、比較的に早期（例えば、粉状化より２〜３ヶ月経過時点）のうちに、消費者の見た目を損ねる程度にまで黄変が進んで、白色性を重視する用途によっては、商品価値が著しく低下すると言う問題点があった。
【０００９】
斯かる問題点の解決策としては、粉状化のための粉砕処理は出来る限り出荷直前に行うように取り決めることが考えられるが、このような対策を採用すると、顧客のニーズとの関係で出荷に至る工程管理が複雑となることに加え、顧客への納入後も黄変は進行することから、購入後早期の使用を顧客に推奨する必要も生じ、根本的な解決策とはならなかった。
【００１０】
この発明は、従来のベントナイト粉体における上述の問題点に着目してなされたものであり、その目的とするところは、粉状化処理直後の白色度が比較的に長期に亘って維持され、それにより、製造者側及び購入者側の双方において、白色度の経時劣化に配慮した特別な対策を講ずることを不要となし得るベントナイト粉体およびその製造方法を提供することにある。
【００１１】
本発明の他の目的並びに作用効果については、以下の記述を参照することにより、当業者であれば容易に理解されるであろう。
【課題を解決するための手段】
【００１２】
上述の課題は、以下の構成を有するベントナイト粉体およびその製造方法により解決することができると考えられる。
すなわち、本発明のベントナイト粉体は、必要に応じてアルカリ処理されたジオクタヘドラル型スメクタイト系粘土粉体であって、下記式で示される含塩素無機塩を所定量だけ含有する。
Ｍp+（ＣｌＯq-）p        ・・・（式）
（式中、Ｍは、Ｎａ，Ｋ，Ｍｇ，Ｃａ，Ｂａ，Ａｌの群から選ばれた金属原子であり、ｐは、金属原子Ｍの価数で１乃至３の自然数であり、ｑは、塩化物イオンまたは塩素酸イオンのイオン式を構成する酸素原子Ｏの数で０または１乃至４の自然数である。）
【００１３】
ここで、本発明でいうベントナイト粉体とは、天然のジオクタヘドラル型スメクタイト系粘土をアルカリ処理して活性化したもの、または、元々アルカリ−リッチな天然のジオクタヘドラル型スメクタイト系粘土をそのまま原料にして乾燥・粉砕により製造したものの何れでもよいが、産業上有用なベントナイト製品たり得る性能、すなわち、１５ｍｌ／２ｇ以上の膨潤力と３０ｍｍｏｌ／１００ｇ以上のメチレンブルー吸着量を有することが望ましい。
【００１４】
また、含塩素無機塩とは、Ｎａ，Ｋ，Ｍｇ，Ｃａ，Ｂａ，Ａｌの群から選ばれた金属の塩化物または塩素酸塩であり、当然ながらそれらの水和物も含まれる。
【００１５】
そして、このようなベントナイト粉体によれば、含塩素無機塩を用いることにより、粉状化処理直後の白色度が比較的に長期に亘って維持され、それにより、製造者側及び購入者側の双方において、白色度の経時劣化に配慮した特別な対策を講ずることが不要となる。
【００１６】
本願の好ましい実施の形態においては、ヒドロキシカルボン酸またはその塩をさらに所定量だけ含有するものであってもよい。
【００１７】
このような構成によれば、含塩素無機塩による変色抑制効果に加えてヒドロキシカルボン酸による変色抑制効果も得られるため、経時による変色がより抑制される。なお、以下においては、ヒドロキシカルボン酸とヒドロキシカルボン酸塩とを単にヒドロキシカルボン酸と総称することがある。
【００１８】
本願の好ましい実施の形態においては、工場出荷時における水分含有量が５重量％以下となるようにしてもよい。工場出荷時の水分含有量を５重量％以下とすることにより、出荷後にベントナイト粉体の水分含有量が変化した場合であっても、ベントナイト粉体を使用する時点まで経時による変色がより抑制されやすくなる。
【００１９】
本願の好ましい実施の形態においては、含塩素無機塩の含有量が粘土分１００重量部（乾燥物換算）に対して０．０２重量部乃至２重量部であってもよい。
【００２０】
このような構成によれば、含塩素無機塩の配合量が最適な範囲であるため、含塩素無機塩による変色抑制効果が適切に得られる。
【００２１】
本願の好ましい実施の形態においては、ヒドロキシカルボン酸またはその塩の含有量が粘土分１００重量部（乾燥物換算）に対して０．５乃至５重量部であってもよい。
【００２２】
このような構成によれば、ヒドロキシカルボン酸またはその塩の配合量が最適な範囲であるため、これらによる変色抑制効果が適切に得られる。
【００２３】
本願の好ましい実施の形態においては、含塩素無機塩が塩化アルミニウム又は塩化ナトリウムであってもよい。
【００２４】
このような構成によれば、含塩素無機塩として塩化アルミニウム又は塩化ナトリウムを用いたことにより、含塩素無機塩による変色抑制効果が顕著に得られる。
【００２５】
本願の好ましい実施の形態においては、ヒドロキシカルボン酸またはその塩が、酒石酸、クエン酸、リンゴ酸、またはそれらの塩であってもよい。
【００２６】
ここで、酒石酸、クエン酸、リンゴ酸、またはそれらの塩とは、酒石酸、クエン酸、リンゴ酸等のヒドロキシカルボン酸、またはそれぞれのアルカリ金属塩であり、それらの水和物も含まれる。
【００２７】
このような構成によれば、ヒドロキシカルボン酸またはその塩として、酒石酸、クエン酸、リンゴ酸等のヒドロキシカルボン酸、またはそれぞれのアルカリ金属塩を用いたことにより、ヒドロキシカルボン酸またはその塩による変色抑制効果が顕著に得られる。
【００２８】
また、本願のベントナイト粉体の他の実施形態としては、アルカリ処理されたスメクタイト系粘土粉体であって、ヒドロキシカルボン酸またはその塩を所定量だけ含有することを特徴とする。
【００２９】
このような構成によれば、ヒドロキシカルボン酸またはその塩が含まれているため、含塩素無機塩が含まれていなくても経時による変色が抑制される。
【００３０】
また、本願のベントナイト粉体の他の実施形態としては、体積平均粒子径ｄ（５０）が３乃至２０μｍであってもよい。
【００３１】
このような構成によれば、様々な用途に用いやすい適度な粒子径のベントナイト粉体が得られる。
【００３２】
また、本願のベントナイト粉体の他の実施形態としては、出荷後３０日経過した時点におけるｂ値が６以下であってもよい。
【００３３】
このような構成によれば、ベントナイト粉体の変色の度合いが数値で把握されるため、変色状態を明確に判断することができる。
【００３４】
また、本願のベントナイト粉体の他の実施形態としては、鉄分が酸化物換算で０．５重量部乃至５重量部だけ含まれていてもよい。
【００３５】
このような構成によれば、鉄分の含有量が多く黄変化しやすい粘土を原料に用いた場合であっても、黄変抑制効果が確実に得られる。
【００３６】
また、本願のベントナイト粉体は、製紙用添料、繊維質柔軟剤等の用途に用いられてもよい。
【００３７】
このような構成によれば、ベントナイト粉体による優れた効果が得られ、しかもそれぞれの製品の白色性は損なわないため、洗濯用柔軟剤や製紙用添料等の白色性を重視する用途に好適である。
【００３８】
次いで、本願のベントナイト粉体の製造方法は、原料となるジオクタヘドラル型スメクタイト系粘土にアルカリ性化合物を添加して混練することにより、前記粘土の基本層間にアルカリイオンを取り込ませる第１のステップと、第１のステップを経た前記粘土中に下記式で示される含塩素無機塩を所定量だけ添加して混練することにより、前記粘土中に該無機塩を均一に分散させる第２のステップと、第２のステップを経た前記粘土を乾燥したのち、粉砕、分級することで前記粘土の微粉体を生成する第３のステップとを有することを特徴とする。
Ｍp+（ＣｌＯq-）p        ・・・（式）
（式中、Ｍは、Ｎａ，Ｋ，Ｍｇ，Ｃａ，Ｂａ，Ａｌの群から選ばれた金属原子であり、ｐは、金属原子Ｍの価数で１乃至３の自然数であり、ｑは、塩化物イオンまたは塩素酸イオンのイオン式を構成する酸素原子Ｏの数で０または１乃至４の自然数である。）
【００３９】
ここで、「アルカリ性化合物」としては、例えば、水酸化アルカリ或いは炭酸アルカリなどが用いられる。また、アルカリ種は特に限定されず、リチウム、カリウム、ナトリウム等の何れでもよく、水酸化アルカリ及び炭酸アルカリを併用することも勿論可能である。
【００４０】
そして、このような構成によれば、第１のステップにおいて粘土の基本層間にアルカリイオンを取り込ませるため、ベントナイト粉体の膨潤性を向上させることができる。加えて、含塩素無機塩を用いることにより、粉状化処理直後の白色度が比較的に長期に亘って維持され、それにより、製造者側及び購入者側の双方において、白色度の経時劣化に配慮した特別な対策を講ずることが不要なベントナイト粉体が得られる。
【００４１】
本願の好ましい実施の形態においては、前記第２のステップが、ヒドロキシカルボン酸またはその塩を所定量だけ含有するステップをさらに有するものであってもよい。
【００４２】
このような構成によれば、含塩素無機塩による変色抑制効果に加えてヒドロキシカルボン酸による変色抑制効果も得られるため、経時による変色がより抑制される。
【００４３】
本願の好ましい実施の形態においては、前記第３のステップにおいて、乾燥終了時における前記微粉体の水分含有量が５重量部以下となるようにしてもよい。
【００４４】
このような構成によれば、乾燥終了時における水分含有量が低くなるようにしたことにより、乾燥後にベントナイト粉体の水分含有量が変化した場合であっても、ベントナイト粉体を使用する時点まで水分含有量が好ましい範囲で維持されやすくなり、ベントナイト粉体の経時による変色がより抑制されやすくなる。
【００４５】
本願の好ましい実施の形態においては、前記第２のステップにおいて、前記含塩素無機塩の添加量は粘土分１００重量部（乾燥物換算）に対して０．０２乃至２重量部であってもよい。
【００４６】
このような構成によれば、含塩素無機塩のの配合量が最適な範囲であるため、含塩素無機塩による変色抑制効果が適切に得られる。
【発明の効果】
【００４７】
本発明のベントナイト粉体によれば、含塩素無機塩を用いることにより、粉状化処理直後の白色度が比較的に長期に亘って維持され、それにより、製造者側及び購入者側の双方において、白色度の経時劣化に配慮した特別な対策を講ずることが不要となる。
【００４８】
又、本発明のベントナイト粉体の製造方法によれば、第１のステップにおいて粘土の基本層間にナトリウムイオンを取り込ませるため、ベントナイト粉体の膨潤性を向上させることができる。加えて、含塩素無機塩を用いることにより、粉状化処理直後の白色度が比較的に長期に亘って維持され、それにより、製造者側及び購入者側の双方において、白色度の経時劣化に配慮した特別な対策を講ずることが不要なベントナイト粉体が得られる。
【図面の簡単な説明】
【００４９】
【図１】実施例及び比較例にて得られたベントナイト粉体の各物性及び含塩素無機塩による黄変化抑制効果を示す図表である。
【図２】実施例及び比較例にて得られたベントナイト粉体の含塩素無機塩の添加量の違いによる黄変化抑制効果を示す図表である。
【図３】ＮａＣｌを添加したベントナイト粉体の水分量の違いによる黄変化抑制効果を示す図表である。
【図４】実施例及び比較例にて得られたベントナイト粉体の各物性及びヒドロキシカルボン酸による黄変化抑制効果を示す図表である。
【図５】アルカリ活性化処理を行わなかった場合のベントナイト粉体の各物性及び黄変化抑制効果を示す図表である。
【図６】実施例及び比較例にて得られたベントナイト粉体の化学組成を示す図表である。
【図７】比較例１によるベントナイト粉体のｂ値の経時変化を示す図である。
【図８】比較例１によるベントナイト粉体のＸ線回折パターンを示す図である。
【発明を実施するための形態】
【００５０】
以下において、本発明の好適な実施の形態について述べるが、本発明は以下の記述で限定されるものではない。
【００５１】
＜ジオクタヘドラル型スメクタイト系粘土について＞
先にも述べたように、本発明のベントナイト粉体は、ジオクタヘドラル型スメクタイト系粘土に含塩素無機塩を所定量だけ添加することにより得られるものである。また、ここでいうベントナイトは、天然のジオクタヘドラル型スメクタイト系粘土をアルカリ処理して活性化したもの、または、元々アルカリ−リッチな天然のジオクタヘドラル型スメクタイト系粘土をそのまま原料にして乾燥・粉砕により製したものの何れでもよいが、産業上有用なベントナイト製品たり得る性能、すなわち、１５ｍｌ／２ｇ以上の膨潤力と３０ｍｍｏｌ／１００ｇ以上のメチレンブルー吸着量を有することが望ましい。
【００５２】
本発明において原料として用いる天然のジオクタヘドラル型スメクタイト系粘土の主成分粘土鉱物であるジオクタヘドラル型スメクタイトは、ＳｉＯ4四面体層−ＡｌＯ6八面体層−ＳｉＯ4四面体層からなり、且つこれらの四面体層と八面体層が部分的に異種金属で同型置換された三層構造を基本構造（単位層）としている。このような三層構造の積層層間（＝基本層間）には、Ｃａ，Ｍｇ，Ｋ，Ｎａ等の陽イオンや水素イオンとそれらに配位している水分子が存在している。また、基本三層構造の八面体層中のＡｌの一部がＭｇやＦｅ(II)に置換し、四面体層中のＳｉの一部がＡｌに置換しているため、結晶格子はマイナスの電荷を有しており、このマイナスの電荷が基本層間に存在する金属陽イオンや水素イオンにより中和されている。
【００５３】
この種のスメクタイト系粘土には、ベントナイト、サブベントナイト、フラーズアース、酸性白土などがあるが、基本層間に存在する金属陽イオンの種類や量、及び水素イオン量などによってそれぞれ異なる特性を示す。
【００５４】
例えば、ベントナイトでは、基本層間に存在するＮａイオン量が多く、このため、水に懸濁分散させた分散液のｐＨも高く（一般には、９．５以上）、また、水に対して高い膨潤性を示し、さらにはゲル化して固結するという性質を示す。即ち、上記単位層の積層層間に水が入り、Ｎａイオンを取り囲むようにして層間を押し広げ、いわゆる膨潤が起こり、さらに多くの水が供給されると、やがては単位層がバラバラなコロイド状に分散し、流動状態となる。これを放置すると、単位層同士の吸引反発により、カード・ハウス構造が形成され、ゲル化したゲル状物（塊状物）となる。
【００５５】
他方、サブベントナイト、フラーズアース、酸性白土では、基本層間に存在するＮａイオン量が少なく、ＣａイオンやＭｇイオン、さらには水素イオンのほうが多くなり、このため、水に分散させたときのｐＨはベントナイトより低い（一般には、４．５〜９．５）。また、高い吸水性は示すものの、膨潤性は極めて低く、ゲル化による固結化には至らない。
【００５６】
本発明においては、原料として用いるジオクタヘドラル型スメクタイト系粘土は、天然産出時に基本層間に存在するＮａイオン量が豊富な所謂Ｎａ−ベントナイトであれば、そのままベントナイトの原料たり得る。
【００５７】
他方、基本層間に存在するＮａイオン量が少なく、ＣａイオンやＭｇイオンさらには水素イオンが多い所謂サブベントナイト、フラーズアース、酸性白土であっても、水酸化アルカリまたは炭酸アルカリで処理を行い、層間に含塩素無機塩の添加に先駆けてアルカリを導入することで、ベントナイトの原料として使用することができる。即ち、サブベントナイト、フラーズアース、酸性白土は、水に対する膨潤性がベントナイトに比して低いものであるが、層間にアルカリを導入することによりベントナイトに特有の性質を示すようになるため、これを出発原料として使用することも可能となるわけである。
【００５８】
また、一般に、原料として用いる天然のジオクタヘドラル型スメクタイト系粘土は、その産地等により、オパール、クリストバライト、石英、長石などの不純物含量が異なるため、その組成は、種々、様々であるが、一般に、酸化物換算での組成は、以下の通りである。
【００５９】
原料ジオクタヘドラル型スメクタイト系粘土の組成
ＳｉＯ2：６０〜８０重量％
Ａｌ2Ｏ3：１０〜３０重量％
Ｆｅ2Ｏ3：１．０〜１０．０重量％
Ｎａ2Ｏ：０．１〜４．０重量％
Ｋ2Ｏ：０．１〜３．０重量％
ＭｇＯ：１．０〜８．０重量％
ＣａＯ：０．５〜５．０重量％
強熱減量（１０００℃）：３〜１２重量％
【００６０】
また、本発明において原料として使用するジオクタヘドラル型スメクタイト系粘土は、前述した基本層間に吸水し、基本層間が広がるという性質を有するものであるため、例えば１５０℃で２時間乾燥後、相対湿度７５％に４８時間保持した後にＸ線回折測定（Ｃｕ−ｋα）を行うと、２θ＝５．０〜７．５度の領域に、［００１］面の回折ピークを示す。一般にベントナイトは、Ｎａ分が多く、吸水し易くて、一定間隔の拡張層間が得られ易いためか、［００１］面の回折ピークを示すピーク面積も大きく、酸性白土では小さい。
【００６１】
一例として、従来のベントナイト粉体によるＸ線回折のパターンが図８に示されている。同図において、横軸は回折角（２θ）、縦軸はＸ線の強度を表している。ベントナイト粉体は、［００１］面の回折ピークを示すピーク面積が大きいことが同図からも明白である。なお、図８の測定に用いたベントナイト粉体は、後述の比較例１により得られた従来の構成を有するベントナイト粉体である。
【００６２】
本願においてアルカリ活性化処理に用いる水酸化アルカリ或いは炭酸アルカリのアルカリ種は、特に限定されず、リチウム、カリウム、ナトリウム等の何れでもよいが、コストなどの観点から、通常はナトリウムが使用され、好適には、水酸化ナトリウム水溶液或いは固体炭酸ソーダが使用される。また、水酸化アルカリ及び炭酸アルカリを併用することも勿論可能である。ここで、アルカリ種としてナトリウムを用いると、ベントナイトの膨潤性が向上し、結果として高分散性を有するベントナイト粉体が得られる。このため、洗濯用柔軟剤などの高分散性が求められる用途に適用する場合には、水酸化ナトリウム、炭酸ソーダ等のナトリウムが含まれた水酸化アルカリ或いは炭酸アルカリを用いることが好ましい。
【００６３】
なお、本願のベントナイト粉体を含む製品を、洗剤などの界面活性剤が含まれたものと併用する場合には、アルカリ活性化処理に用いるアルカリ種として、界面活性剤の働きを阻害しない一価のアルカリ種が含まれた水酸化アルカリ或いは炭酸アルカリを用いることが望ましい。
【００６４】
また、本発明におけるアルカリ活性化処理は、原料のジオクタヘドラル型スメクタイト系粘土と水酸化アルカリまたは炭酸アルカリとを、一軸または二軸の押出型混練装置、ロール型混練装置、バンバリーミキサー、土練機、コンクリートミキサー、ディスクペレッターなどを用いて混練することにより行うことができる。ここで、固体炭酸ソーダを用いてアルカリ処理を行う場合には、適度な量の水分を供給し、原料粘土を適度に吸水させて混練を行うことが、層間に速やかにアルカリを導入する上で好ましく、また、アルカリ処理を均一に行うために、原料のジオクタヘドラル型スメクタイト系粘土を細粒化しておくことが好適である。
【００６５】
上記のようなアルカリ活性化処理後、含塩素無機塩を添加して混練し、乾燥及び粉砕し、必要により分級することにより、目的とする本発明のベントナイト粉体が得られる。
【００６６】
＜ベントナイト粉体の製造工程について＞
次いで、本願に係るベントナイト粉体の製造工程の一例について説明を行う。先にも述べたように、本願のベントナイト粉体は、天然のベントナイトや酸性白土等を原料としている。
【００６７】
先ずはじめに採掘されたこれらの原土の塊（ブロック）を平ロール式粗砕機等にかけて粗砕し、含水量を３０〜４０％に適宜調整したのちスクリュー式押出機にかけて８〜１２ｍｍφの粒状物となす。
【００６８】
次いで、必要に応じて水酸化アルカリ或いは炭酸アルカリを所定量添加し、スクリュー式混練押出機にかけてよく混練してアルカリ活性化処理を行ない、３〜７ｍｍφの柱状粒状物を得る。このアルカリ活性化処理を行うことでジオクタヘドラル型スメクタイト系粘土の膨潤性が上昇し、ベントナイトとしてより優れた効果が得られるものとなる。
【００６９】
アルカリ活性化処理の次には、黄変化抑制剤として含塩素無機塩及び／又はヒドロキシカルボン酸を加えて混練処理を行う。この際、これら黄変化抑制剤は粉末等の固形のままで添加してもよいし、水に分散若しくは溶解させた水溶液として添加してもよい。但し、水の添加量が多すぎると造粒乃至成形が困難となるという問題が生じる虞があるため、該抑制剤を水溶液として添加する場合には、水の使用量をジオクタヘドラル型スメクタイト系粘土１００重量部に対して５重量部以内とすることが望ましい。
【００７０】
混練・造粒後は乾燥処理に移行する。乾燥処理は、例えば併流式回転乾燥炉（ロータリーキルン）で出口排気温度が１００〜２００℃となるように行い、乾燥粒状物が所望の水分量となるように仕上げる。
【００７１】
乾燥工程終了後、粉砕及び必要に応じて分級を行い、その平均粒径が３乃至２０μｍ程度と成した粉末を包装し、品質検査を経て出荷を行う。出荷の時点で含有水分が５％以下であればｂ値の経時変化がより抑制され、１乃至３％程度であれば更に望ましい。
【実施例】
【００７２】
以下の実施例により、本発明を詳細に説明する。なお、各実施例及び比較例における物性値の測定は、以下の方法で行った。
【００７３】
（１）色相測定
日本電色工業（株）社製カラーメータＳＥ−２０００を使用し、粉末試料をφ３５ｍｍのガラスセルに半分程度充填し、２０回タッピング後、Ｌａｂ表色系におけるＬ値、ａ値、ｂ値の測定を行う。Ｌａｂ表色系におけるＬ値、ａ値、ｂ値は、それぞれ以下の値を示すものである。
Ｌ値：明るさを表す値、０（黒）〜１００（白）の範囲で推移
ａ値：色成分を表す値、−１２８（緑）〜＋１２７（赤）の範囲で推移
ｂ値：色成分を表す値、−１２８（青）〜＋１２７（黄）の範囲で推移
この例においては、色相変化のうち黄変化に特に注目し、ｂ値を黄変化の目安となる黄変化度として用いた。
【００７４】
（２）化学組成の測定
各成分の含有率は、（株）リガク製  蛍光Ｘ線回折装置ＺＳＸ−Ｐｒｉｍｕｓ−IIを用いて測定を行った。金属原子はすべて酸化物に換算して、全組成を１００％としたときの各成分の含有率（％）で表した。
【００７５】
（３）粉末Ｘ線回折の測定
Ｘ線回折装置（（株）リガク製、ＭｕｌｔｉＦｌｅｘ、Ｃｕ−Ｋα）を使用して、以下の条件で測定を行った。
管電圧：４０ｋＶ、管電流：３０ｍＡ、発散スリット：０．１５ｍｍ、
散乱スリット：１°、受光スリット：０．３ｍｍ
【００７６】
（４）膨潤度（ＡＣＣ法）の測定
試料２ｇを、イオン交換水１００ｍｌを入れた１００ｍｌの共栓付きメスシリンダに内壁に殆ど付着しないように加え、先に加えた試料が殆ど沈着した後に次の試料を加えるようにして、約１０回に分けて入れた。試料を加え終わった後にメスシリンダに栓をして２４時間静置し、容器内に堆積した試料の見掛け容積を読み取った。膨潤度の単位を（ｍｌ／２ｇ）として表示する。
【００７７】
（５）メチレンブルー（ＭＢ）吸着量の測定
粘土ハンドブック（第三版、日本粘土学会編）Ｐ４５６に記載の「（３）メチレンブルー吸着量」に準拠して測定した。具体的には以下の通りである。
ベントナイト粉末を１０５℃で恒量となるまで乾燥し、デシケータ内で放冷する。乾燥ベントナイト０．５００ｇを秤取し、２％のピロリン酸ナトリウム溶液５０ｍｌを入れてあるコニカルビーカ（２００ｍｌ）に加える。超音波分散機（周波数：２０〜３０ｋＨｚ，出力：１００〜１５０Ｗ）で１０分間処理してベントナイトを分散させる。超音波分散機がない場合には、時計皿で蓋をして１０分間穏やかに煮沸して分散させた後、室温まで冷却する。次に、０．０１Ｍメチレンブルー溶液（試薬特級のメチレンブルー３水塩３．７４ｇを水に溶かして１Ｌとする）にて滴定する。
予想される消費量の８０％程度のメチレンブルー溶液を加え、スターラなどを用いて３０秒間撹拌する。コマゴメピペットを用いて濾紙（定性用Ｎｏ．２、或いはＮｏ．１３１）上に１滴垂らす。メチレンブルーで濃青色に染まったベントナイトの外側に、メチレンブルー溶液によるブルーのハローが現れていなければ、メチレンブルー溶液を更に１ｍｌ加えて３０秒間撹拌し、液の１滴を採って濾紙上に置く。この操作を淡いブルーのハローが現れるまで繰り返す。３０秒撹拌した後に淡いブルーのハローが現れたら、更に２分間撹拌し、再度液の１滴を取って濾紙上に置く。ブルーのハローが消えていたら、メチレンブルー溶液を更に１ｍｌ加え同様の操作を行う。２分間撹拌した後でも消えない１．５〜２．０ｍｍ幅のハローが現れたら、滴定の終点である。０．０１Ｍメチレンブルー溶液消費量（ｍｌ／０．５ｇ）を２倍すればメチレンブルー吸着量（ｍｍｏｌ／１００ｇ）となる。
【００７８】
（６）平均粒径の測定
マルバーン社製マスターサイザー２０００を使用して、粉末試料を純水に分散して平均粒径の測定を行い、５０％体積平均径（μｍ）を求めて平均粒径とした。
【００７９】
（７）ｐＨの測定
ＪＩＳ  Ｋ５１０１−１７−２：０４に準拠し、試料を純水に２％濃度に懸濁させて測定した。
【００８０】
（８）水分の測定
直径４０ｍｍの秤量瓶に試料約１ｇを量り取り、１１０℃に設定したオーブン中で２時間乾燥した後、デシケータに移して放冷し、再度重量を測定した。乾燥前後の重量変化から水分（％）を求めた。
【００８１】
＜含塩素無機塩についての検証＞
本願発明者らは、本願に用いる含塩素無機塩について、７種類の含塩素無機塩を用いて実施例１〜７、及び比較例１により検証を行った。
【００８２】
［実施例１〜７］
〈第１ステップ〉
ジオクタヘドラル型スメクタイト系粘土として、新潟県新発田市小戸Ｎ−１地区産の原料粘土（含水物）２０ｋｇを用い、このジオクタヘドラル型スメクタイト系粘土を１０ｍｍ巾の波目形孔を有する造粒板を装着したスクリュー式一軸押出機で押し出した後、Ｎａ2ＣＯ3分が１５０℃乾燥物換算で全体の３．０％となるようにＮａ2ＣＯ3（和光純薬製）粉末をふりかけ、スプーンで混合し、スクリュー式一軸押出機（５ｍｍφ円形孔−造粒板装着）で２回押し出して混練・造粒し、黄変化抑制剤添加前の中間原料（Ａ−１）を調製した。
【００８３】
〈第２ステップ〉
１００ｍｌのビーカに、黄変化抑制剤としての各含塩素無機塩０．５ｇ（無水物換算）を秤取後、純水を加えて３０ｇとし、マグネチックスターラで撹拌して含塩素無機塩を完全に溶解させ、各含塩素無機塩水溶液を調製した。なお、実施例１〜７において用いた含塩素無機塩は、それぞれ以下の通りである。
実施例１：ＣａＣｌ2（和光純薬製試薬特級）
実施例２：ＭｇＣｌ2（和光純薬製試薬特級）
実施例３：ＮａＣｌ（和光純薬製試薬特級）
実施例４：ＫＣｌ（和光純薬製試薬特級）
実施例５：ＢａＣｌ2（和光純薬製試薬特級）
実施例６：ＡｌＣｌ3（和光純薬製試薬特級）
実施例７：ＮａＣｌＯ4（和光純薬製試薬特級）
第１ステップで得られた上記中間原料（Ａ−１）を１５０℃乾燥物換算で１ｋｇとなるように秤り取り、ステンレス製容器に厚さ２ｃｍ程度になるように広げ入れた後、別途調製した各含塩素無機塩水溶液をそれぞれ全量振りかけて、スプーンで良く混ぜ合わせた後、スクリュー式一軸押出機（５ｍｍφ円形孔−造粒板装着）で３回押し出して混練・造粒し、含水の粒状物を得た。
【００８４】
〈第３ステップ〉
第２ステップで得られた含水の粒状物を１７０℃のオーブン中で２時間乾燥した後、乾燥上がりの粒状物（Ｘ−１）約５０ｇを卓上ミル（ＩＫＡ粉砕機  Ａｌｌｂａｓｉｃ）で粉砕し、更に、２００メッシュのフルイを通過させ、本発明のベントナイト粉体が得られた。これら実施例１〜７で得られた粉末は、ポリエチレン（ＰＥ）製のチャック付ポリ袋に保存した（粉末保存）。
【００８５】
［比較例１］
前記中間原料（Ａ−１）について、黄変化抑制剤としての含塩素無機塩を添加しないまま、前記第３ステップと同様の操作を行うことにより従来技術によるベントナイト粉体が得られた。得られた粉末はポリエチレン（ＰＥ）製のチャック付ポリ袋に保存した。
【００８６】
以上の実施例１〜７及び比較例１で得られた粉末試料について、スタート時（０日）、１５日、３０日、６０日経過後の色相を測定し、そのｂ値を黄変化度として図１に示した。さらに、その他の一般性状として、水分、ｐＨ、平均粒径、ＭＢ吸着量、膨潤度についても同様に図１に示した。
【００８７】
また、第３ステップで得られた乾燥上がりの粒状物（Ｘ−１）を未粉砕の粒状物としてポリエチレン（ＰＥ）製のチャック付ポリ袋に保存した（粒状物保存）。この粒状物保存試料についても、１５日、３０日、４５日、６０日経過後に前記同様の条件で粉砕・フルイ分けをし、得られた粉末試料について粉末保存試料と同様に色相を測定し、そのｂ値を黄変化度として図１に示した。
【００８８】
図１の結果より明らかなように、過塩素酸ナトリウム（ＮａＣｌＯ4）を添加した実施例７を除いた実施例１〜６では、試料の保存形態が粉末保存、粒状物保存のいずれの場合であっても、該含塩素無機塩を添加してない比較例１よりも、保存開始時の値、及びその後の２ヶ月間の経時の値のいずれについても、ｂ値の値が低く、経時による黄変化が少ないことがわかる。
【００８９】
また、同一の含塩素無機塩を添加した粉末保存の試料と粒状物保存の試料とでは、粒状物保存の試料の方が経時によるｂ値の増加が少ないことがわかる。
【００９０】
なお、過塩素酸ナトリウム（ＮａＣｌＯ4）を添加した実施例７の試料については、保存開始時おいては、含塩素無機塩を添加してない比較例１の試料よりもｂ値が僅かに大きくなっているが、その後の２カ月間の経時におけるｂ値の増加は僅かであり、比較例１のｂ値の増加と比較すると、黄変化を効果的に抑制できていることは明らかである。
【００９１】
以上のように、含塩素無機塩の添加では、該含塩素無機塩の種類により多少程度の差はあるが、いずれの場合もベントナイト粉体の製造後保存期間における黄変化の抑制効果が認められた。また、特にこれら含塩素無機塩を添加していない比較例１のベントナイト粉体では、保存形態により黄変化の程度が異なり、粉末保存と粒状物保存では粉末保存の方がより黄変化し易い傾向が認められた。
【００９２】
実施例１〜７で用いられた含塩素無機塩では、黄変化の抑制効果に注目すると、塩化アルミニウム（実施例６）が最も優れた黄変化抑制効果を有することが明らかであるが、用途の面で、高い膨潤性や陽イオン交換性などが期待されるような分野（例えば衣料の柔軟化剤など）に使用する場合には、２〜３価の多価金属イオン（マグネシウム、カルシウム、バリウム、アルミニウムの各イオン）、特にアルミニウムイオンなどの多量の添加はそれらの性質を低下させる虞があるので、僅量の添加にとどめるか、塩化ナトリウムか塩素酸ナトリウム塩類を使用することが好ましい。
【００９３】
次いで、含塩素無機塩の添加量の違いによる黄変化効果について、実施例８〜１０、及び比較例２にて検証を行う。
【００９４】
［実施例８〜１０］
〈第１ステップ〉
ジオクタヘドラル型スメクタイト系粘土として、新潟県新発田市小戸Ｎ−２地区産の原料粘土（含水物）２０ｋｇを用いる以外は、前記実施例１〜７の第１ステップと同様に実施して黄変化抑制剤添加前の中間原料（Ａ−２）を調製した。
【００９５】
〈第２ステップ〉
図２に示したように、黄変化抑制剤として次亜塩素酸ソーダを使用して、次亜塩素酸ソーダの添加量を変化させる以外は前記実施例１〜７の第２ステップと同様に実施して含水の粒状物を得た。なお、実施例８〜１０において用いた次亜塩素酸ソーダの添加量は、それぞれ以下の通りである。
実施例８：次亜塩素酸ソーダ      ０．０５重量部
実施例９：次亜塩素酸ソーダ      ０．１重量部
実施例１０：次亜塩素酸ソーダ    ０．２重量部
【００９６】
〈第３ステップ〉
前記実施例１〜７の第３ステップと同様に実施して本発明のベントナイト粉体を得た。
【００９７】
［比較例２］
前記中間原料（Ａ−２）について、黄変化抑制剤としての含塩素無機塩（次亜塩素酸ソーダ）を添加しないまま、前記第３ステップと同様の操作を行うことにより従来技術によるベントナイト粉体を得た。
【００９８】
以上の実施例８〜１０及び比較例２で得られたベントナイト粉体は、その半量ずつをポリエチレン（ＰＥ）製のチャック付ポリ袋と密閉式ガラス容器で保存した。これらの粉末サンプルについて、スタート時（０日）、３０日、６０日経過後の色相を測定し、そのｂ値を黄変化度として図２に示した。
【００９９】
図２の結果より明らかなように、実施例８〜１０により得られた粉末試料は、保存形態がポリ袋保存、ガラス容器保存のいずれの場合であっても、保存開始時においては、該含塩素無機塩を添加してない比較例２と比較してｂ値が同程度か僅かに大きくなっている。しかしながら、実施例８〜１０で得られた試料のその後の２カ月間の経時においてはｂ値の増加はごく僅かであり、６０日を経過した時点では、いずれの試料についても比較例２で得られた試料よりもｂ値が小さくなっている。
【０１００】
また、０．０５重量部添加（実施例８）、０．１重量部添加（実施例９）、０．２重量部添加（実施例１０）の３段階に変えた添加量の間では、添加量が少ない試料の方が寧ろ効果的に黄変化を抑制できている。保存形態による黄変化の程度の違いについては、ポリ袋保存とガラス容器保存ではポリ袋保存の方がより黄変化し易い傾向が認められた。
【０１０１】
＜水分量についての検証＞
次いで、水分量の違いによる色相の変化について、参考例１，２にて検証を行う。
【０１０２】
［参考実験］参考例１〜２
前記実施例３の第３ステップにおいて、第２ステップで得られた乾燥前の含水粒状物を２つの容器に分けて６０℃の恒温乾燥器に容れて、水分が約７％程度（参考例１）と、約２％程度（実験例２）になるように乾燥し、以後は実施例３と同様に実施して、ベントナイト粉体を得た。
【０１０３】
この二つの試料の経時による色相変化について、Ｌａｂ表色系におけるＬ値、ａ値、ｂ値を測定し、水分量の変化とともに図３に示した。同図には、塩化ナトリウム（ＮａＣｌ）を添加して黄変化を抑制したベントナイト粉体について、その乾燥上がり水分を約７％程度に調整した参考例１と、約２％程度に調整した参考例２の２種類の粉末試料の保存期間中の色相変化が示されている。図３の結果より、含有水分の多い参考例１の方が保存開始時のｂ値が大きく、更に、その後の２カ月間の経時によるｂ値の増加も大きいことが認められる。
【０１０４】
以上、実施例１〜１０、及び比較例１，２における保存形態の違い（粉末保存、粒状物保存）による黄変化の違いと、参考例１，２のにおける含有水分量による黄変化の違いとから、ベントナイトの粉末乃至粒子の表面がより大気と接触し易い状態、言い換えれば、空気中の酸素と水分の影響をより受け易い場合に黄変化し易いと推察される。天然由来のベントナイトに含まれる成分で、空気との長期間における接触によって黄味に呈色する可能性のあるものとしては、スメクタイト構造中の２価の鉄（Ｆｅ）原子と、不純物として含まれている腐植由来のフミン酸等のフェノール性物質が考えられる。２価のＦｅ原子は、酸素によってその一部が黄〜赤褐色を呈する３価のＦｅ原子に酸化され、フェノール性物質もその一部が同様に黄〜赤褐色を呈するフェノキサイドやキノイド構造を有する物質に酸化される。特にある程度の水分の存在下において酸化が促進されるのではないかと推察されるが、その正しいメカニズムは定かではない。なお、本発明による黄変抑制効果は、原料として、鉄分が酸化物換算で０．５重量部乃至５重量部含まれた粘土を用いる場合により顕著に表れることが知見されている。
【０１０５】
＜ヒドロキシカルボン酸またはその塩についての検証＞
次いで、ヒドロキシカルボン酸による変色抑制効果について、実施例１１〜１３、及び比較例３にて検証を行う。
【０１０６】
［実施例１１〜１３］
〈第１ステップ〉
ジオクタヘドラル型スメクタイト系粘土として、新潟県新発田市小戸Ｎ−３地区産の原料粘土（含水物）２０ｋｇを用いた以外は、前記実施例１〜７の第１ステップと同様に実施して黄変化抑制剤添加前の中間原料（Ａ−３）を調製した。
【０１０７】
〈第２ステップ〉
図４に示したように黄変化抑制剤としてヒドロキシカルボン酸（酒石酸、クエン酸、リンゴ酸）を使用して添加量を変える以外は前記実施例１〜７の第２ステップと同様に実施して含水の粒状物を得た。なお、実施例１１〜１３において用いたヒドロキシカルボン酸とその添加量は、それぞれ以下の通りである。
実施例１１：酒石酸        ２重量部
実施例１２：クエン酸      ２重量部
実施例１３：リンゴ酸      ２重量部
【０１０８】
〈第３ステップ〉
前記実施例１〜７の第３ステップと同様に実施して本発明のベントナイト粉体を得た。
【０１０９】
［比較例３］
前記中間原料（Ａ−３）について、黄変化抑制剤としてのヒドロキシカルボン酸を添加しないまま、前記第３ステップと同様の操作を行うことにより従来技術によるベントナイト粉体を得た。
【０１１０】
実施例１１〜１３及び比較例３にて得られたベントナイト粉体について、実施例１〜７で行ったと同様の保存を行い、前記同様の項目について測定を行った結果が図４に示されている。
【０１１１】
図４より明らかなように、実施例１１〜１３のいずれについても、比較例３で得られた試料よりも、保存開始時のｂ値が小さく、更に、その後の２ヶ月間の経時によるｂ値の増加も小さかった。これらの結果より、ヒドロキシカルボン酸を添加することでｂ値の経時変化が抑えられることが明らかである。
【０１１２】
また、ヒドロキシカルボン酸を添加するということは、必要に応じてアルカリ処理されたジオクタヘドラル型スメクタイト系粘土粒子の表面に付着している余剰のアルカリ分によって中和されたヒドロキシカルボン酸アルカリ塩が実質的に共存していることを意味し、ヒドロキシカルボン酸の添加量と余剰アルカリ分の量比に応じて、ヒドロキシカルボン酸またはその塩の添加効果とみなすことができる。
【０１１３】
次いで、実施例１〜７の中で最も優れた黄変化効果を示した塩化アルミニウムと、膨潤性等の点で好ましい塩化ナトリウムについて、アルカリ活性化処理を行っていないベントナイト粉体に含塩素無機塩を添加した場合を、実施例１４〜１６、及び比較例４にて検証した。
【０１１４】
［実施例１４〜１６］
〈第１ステップ〉
ジオクタヘドラル型スメクタイト系粘土として、新潟県新発田市小戸Ｔ−１地区産の原料粘土（含水物）２０ｋｇを１０ｍｍ巾の波目形孔を有する造粒板を装着したスクリュー式一軸押出機で押し出し後、Ｎａ2ＣＯ3を加えることなく、スクリュー式一軸押出機（５ｍｍφ円形孔−造粒板装着）で２回押し出して混練・造粒し、黄変化抑制剤添加前の中間原料（Ｂ−１）を調製した。
【０１１５】
〈第２ステップ〉
表６に示したように黄変化抑制剤である含塩素無機塩として塩化ナトリウム（実施例１４：０．５部添加、実施例１５：１．０部添加）と塩化アルミニウム（実施例１６：０．５部添加）を添加する以外は前記実施例１〜７の第２ステップと同様に実施して含水の粒状物を得た。
【０１１６】
〈第３ステップ〉
前記実施例１〜７の第３ステップと同様に実施して本発明のベントナイト粉体を得た。
【０１１７】
［比較例４］
前記中間原料（Ｂ−１）について、黄変化抑制剤としての含塩素無機塩を添加しないまま、前記第３ステップと同様の操作を行うことにより従来技術によるベントナイト粉体を得た。実施例１４〜１６及び比較例４で得られた粉末は、実施例１〜７で行ったと同様の保存を行い、前記同様の項目について測定を行い、その結果を図５に示した。
【０１１８】
実施例１４，１５により得られた塩化ナトリウムを添加した試料のｂ値は、アルカリ活性化処理を行い、含塩素無機塩として実施例１４，１５と同様に塩化ナトリウムを用いた実施例３の場合と同程度の値を示した。一方、実施例１６により得られた塩化アルミニウムを添加した試料のｂ値は、アルカリ活性化処理を行い、含塩素無機塩として実施例１６と同様に塩化アルミニウムを用いた実施例６と比べて劣る結果となった。
【０１１９】
塩化ナトリウムを添加した試料が、アルカリ活性化処理の有無に関わらず同程度のｂ値を示したのに対して、塩化アルミニウムを添加した試料は、アルカリ活性化処理を行わなかった場合にｂ値が増加しやすくなることの理由は不明であるが、ナトリウムとアルミニウムのアルカリ種としての違いが結果の差に繋がっているのではないかと推定される。
【０１２０】
また、実施例３，１０，１４、及び比較例１で得られた粉末試料の化学組成が図６に示されている。
【産業上の利用可能性】
【０１２１】
本発明のベントナイト粉体によれば、含塩素無機塩を用いることにより、粉状化処理直後の白色度が比較的に長期に亘って維持され、それにより、製造者側及び購入者側の双方において、白色度の経時劣化に配慮した特別な対策を講ずることが不要となる。
【０１２２】
又、本発明のベントナイト粉体の製造方法によれば、第１のステップにおいて粘土の基本層間にナトリウムイオンを取り込ませるため、ベントナイト粉体の膨潤性を向上させることができる。加えて、含塩素無機塩を用いることにより、粉状化処理直後の白色度が比較的に長期に亘って維持され、それにより、製造者側及び購入者側の双方において、白色度の経時劣化に配慮した特別な対策を講ずることが不要なベントナイト粉体が得られる。
【図１】
0005592105.tif 000002
【図２】
0005592105.tif 000003
【図３】
0005592105.tif 000004
【図４】
0005592105.tif 000005
【図５】
0005592105.tif 000006
【図６】
0005592105.tif 000007
【図７】
0005592105.tif 000008
【図８】
0005592105.tif 000009